(57)【要約】【課題】  できるだけ存在感を抑えて自身は目立たないようにした棒状部材用連結具を提供する。【解決手段】  連結具１Ａは、透明な丸棒５０に取付けるもので、透明性樹脂からなり、丸棒５０を通す挿通部１０と、挿通部１０に通した丸棒５０を締付けて連結具１Ａを丸棒５０に固定するための同透明性樹脂からなるネジ１５と、各種用途に利用するための用具２０とを有する。挿通部１０は丸棒５０を連結具１Ａの外部から導入する開口部１１を有する。【選択図】      図１
0003105155.tif 000002
【実用新案登録請求の範囲】
【請求項１】
透明な棒状部材に取付ける透明性樹脂からなる連結具であって、
棒状部材を通す挿通部と、挿通部に通した棒状部材を締付けて連結具を棒状部材に固定するための透明性樹脂からなる固定部材と、各種用途に利用するための用具とを有することを特徴とする棒状部材用連結具。
【請求項２】
前記挿通部は、棒状部材を連結具外部から導入する開口部を有することを特徴とする請求項１記載の棒状部材用連結具。
【請求項３】
前記固定部材は、ネジであることを特徴とする請求項１又は請求項２記載の棒状部材用連結具。
【考案の詳細な説明】
【技術分野】
【０００１】
この考案は、棒状部材に固定して使用する棒状部材用連結具に関する。
【背景技術】
【０００２】
例えば商品を展示するために、棒状部材（角棒、丸棒など）に各種部品を固定し、その部品に商品を取付ける場合がある。
【０００３】
一例として、連結棒に所定の間隔で設けた連結部を介して複数対の横棒部の中間部を支持し、一対の横棒部から下方にＵ字状のフィラメント部を形成し、フィラメント部の先端部（分岐部）にフック部を設け、フック部に商品を吊り下げるようにした吊下げ部片集合体がある（例えば、特許文献１参照）。
【特許文献１】実開平６−７７６１８号公報
【考案の開示】
【考案が解決しようとする課題】
【０００４】
上記特許文献１記載の集合体は、フック部に商品を吊り下げるものであるが、連結棒に対し横棒部、Ｕ字状のフィラメント部、フック部を吊り下げ状に設ける必要があり、フック部に吊り下げられた商品以外にも、それらの部品（横棒部、Ｕ字状のフィラメント部、フック部）がかなり目立つことになる。商品を展示するために用いる特許文献１記載のような集合体は、商品を際立たせ、自身は目立たないのが本質であるが、実際としてはそのような条件を備えていない。
【０００５】
この考案は、そのような問題点に着目してなされたもので、できるだけ存在感を抑えて自身は目立たないようにした棒状部材用連結具を提供することを目的とする。
【課題を解決するための手段】
【０００６】
前記目的を達成するために、本考案の棒状部材用連結具は、透明な棒状部材に取付ける透明性樹脂からなる連結具であって、棒状部材を通す挿通部と、挿通部に通した棒状部材を締付けて連結具を棒状部材に固定するための透明性樹脂からなる固定部材と、各種用途に利用するための用具とを有することを特徴とする。
【０００７】
この連結具は、固定部材も含めて透明であるため、殆ど存在感が無くなり、目立たなくなる。このため、この連結具を透明な棒状部材（丸棒、角棒など）に固定し、用具を例えば商品を展示するのに利用した場合、商品が際立つことになり、ディスプレイ用として好ましいものとなる。
【０００８】
この連結具において、挿通部は棒状部材を連結具外部から導入する開口部を有することが好ましい。これにより、挿通部に棒状部材を通すのが容易になるだけでなく、棒状部材の任意の箇所に連結具を簡単に固定することができ、使い勝手が良くなる。
【０００９】
また、固定部材はネジであることが好ましい。これにより、挿通部に通した棒状部材のネジによる締付け・弛緩の操作が簡単になる。
【００１０】
なお、本考案において、固定部材を含む連結具を構成する透明性樹脂としては、アクリル、ポリスチレン、ポリエチレン、ポリウレタン、シリコーン樹脂、ポリ塩化ビニルなどを使用すればよい。特に、挿通部が開口部を有する場合は、開口部が若干拡開して棒状部材を開口部から挿通部に導入し易いように、透明性樹脂は適度な軟質性を有するのが好適である。
【考案の効果】
【００１１】
請求項１記載の考案によれば、固定部材も含めて透明であるため、殆ど存在感が無くなり、目立たなくなる結果、連結具を棒状部材に固定し、用具を例えば商品を展示するのに利用した場合、商品が際立つことになり、ディスプレイ用として好ましいものとなる。
【００１２】
請求項２記載の考案によれば、挿通部に棒状部材を通すのが容易になるだけでなく、棒状部材の任意の箇所に連結具を簡単に固定することができ、使い勝手が良くなる。
【００１３】
請求項３記載の考案によれば、挿通部に通した棒状部材のネジによる締付け・弛緩の操作が簡単になる。
【考案を実施するための最良の形態】
【００１４】
以下、実施の形態により、この考案を更に詳細に説明する。
【００１５】
一実施形態に係る棒状部材用連結具の斜視図を図１に、連結具を棒状部材に固定した状態での斜視図を図２に、その固定状態での連結具の断面図を図３に示す。
【００１６】
この連結具１Ａは、透明な棒状部材としての丸棒５０に取付けるもので、前例の透明性樹脂からなり、丸棒５０を通す挿通部１０と、挿通部１０に通した丸棒５０を締付けて連結具１Ａを丸棒５０に固定するための同透明性樹脂からなる固定部材としてのネジ１５と、各種用途に利用するための用具２０とを有する。挿通部１０は丸棒５０を連結具１Ａの外部から導入する開口部１１を有する。
【００１７】
この連結具１Ａは、直方体状を呈し、この直方体の一対の対向面を貫通するように挿通部１０が形成され、この挿通部１０に連通するように別の面から挿通部１０に向かって開口部１１が形成されている。また、直方体状の連結具１Ａには、ネジ１５のネジ部１５ａが螺合するネジ穴１２が挿通部１０に連通するように形成されている。
【００１８】
この連結具１Ａでは、用具２０は例えば、丸棒２１と、丸棒２１の先端に接着剤等により接合されたフランジ部２２とからなる。ここでは、丸棒２１の先端部２１ａが連結具１Ａに嵌合・接着されることで、用具２０が連結具１Ａに固定されている。なお、用具２０は、これに限定されるものではなく、各種用途に応じて様々な形態が考えられる。すなわち、用具２０は、商品の展示、商品の説明書きの取付け、商品を展示するための別の枠や支持板の取付け、別の棒状部材（丸棒、角棒など）の連結など、あらゆる用途に応じて様々な形態を取ることができる。
【００１９】
このような連結具１Ａを丸棒５０に固定するには、丸棒５０を開口部１１から挿通部１０に通す。このとき、連結具１Ａは適度な可撓性を有するため、丸棒５０を挿通部１０に通すのは容易である。丸棒５０に対して連結具１Ａの位置決めをした後、ネジ１５により丸棒５０を締付けることで、連結具１Ａが丸棒５０に固定される。連結具１Ａを丸棒５０から取り外すときは、ネジ１５を緩めて丸棒５０を挿通部１０から外せばよい。
【００２０】
別実施形態に係る棒状部材用連結具を丸棒に固定した状態での斜視図を図４に示す。この連結具１Ｂは、円柱状を呈し、同様に丸棒５０に取付けるもので、前例の透明性樹脂からなり、丸棒５０を通す挿通部３０と、挿通部３０に通した丸棒５０を締付けて連結具１Ｂを丸棒５０に固定するための同透明性樹脂からなるネジ３５と、用具２０とを有する。挿通部３０は丸棒５０を連結具１Ｂの外部から導入する開口部３１を有する。また、ネジ３５はネジ部３５ａを有し、連結具１Ｂにはネジ部３５ａが螺合するネジ穴（符号は付せず）が形成されている。この連結具１Ｂでも、丸棒５０を挿通部３０に通し、丸棒５０をネジ３５で締付けることで、連結具１Ｂが丸棒５０に固定される。
【００２１】
このような連結具１Ａ，１Ｂは、ネジ１５，３５も含めて透明であるため、殆ど存在感が無くなり、目立たなくなる。このため、連結具１Ａ，１Ｂを丸棒５０に固定し、用具２０を例えば商品を展示するのに利用した場合、商品が際立つことになり、ディスプレイ用として好ましいものとなる。
【００２２】
また、挿通部１０，３０が開口部１１，３１を有しているので、挿通部１０，３０に丸棒５０を通すのが容易になるだけでなく、丸棒５０の任意の箇所に連結具１Ａ，１Ｂを簡単に固定することができ、使い勝手が良くなる。更に、ネジ１５，３５により固定を行うため、挿通部１０，３０に通した丸棒５０の締付け・弛緩の操作が簡単になる。
【図面の簡単な説明】
【００２３】
【図１】一実施形態に係る棒状部材用連結具の斜視図である。
【図２】同連結具を丸棒に固定した状態での斜視図である。
【図３】同連結具の固定状態での断面図である。
【図４】別実施形態に係る棒状部材用連結具を丸棒に固定した状態での斜視図である。
【符号の説明】
【００２４】
１Ａ，１Ｂ    棒状部材用連結具
１０，３０    挿通部
１１，３１    開口部
１２          ネジ穴
１５，３５    ネジ（固定部材）
２０          用具
５０          丸棒（棒状部材）
【図１】
0003105155.tif 000003
【図２】
0003105155.tif 000004
【図３】
0003105155.tif 000005
【図４】
0003105155.tif 000006